(57)【要約】  本発明のファスナー被着製品(1)は、Ｕ字状に折り曲げられた左右の被着体(10)にスライドファスナー(20)が縫着され、前記スライドファスナー(20)のエレメント列(23)はその噛合頭部(23a) を前記ファスナーテープ(22)のテープ端縁から突出させた状態で配され、左右の前記被着体(10)は、前記ファスナーテープ(22)の前記エレメント列(23)が縫着されたテープ面側に配されている。また、左右の前記被着体(10)は、スライダー(26)に配された左右のフランジ(26d) の外面に接触し、左右の前記被着体(10)の間に前記エレメント列(23)が表出して配されている。これにより、同ファスナー被着製品(1)は、ファスナーテープ(22)が被着体(10)により外部から見えなくなるため、エレメント列(23)の表出により従来とは違った意匠性を有するとともに、ファスナーテープ(22)の露出に起因する見栄えやデザイン性の低下の問題を解消できる。
2011077534.tif 000002
【特許請求の範囲】
【請求項１】
テープ面が同一平面に配されるファスナーテープ(22)と、前記ファスナーテープ(22)のテープ側縁部(22b) に取着されたエレメント列(23)とを有し、前記エレメント列(23)における噛合頭部(23a) が前記ファスナーテープ(22)のテープ端縁から突出したファスナーストリンガー(21)を、被着体(10)に対して、ミシン(30)を用いて縫い付けるファスナーストリンガーの縫製方法であって、
前記ミシン(30)は、前記エレメント列(23)と前記ファスナーテープ(22)の一部とを挿通可能なエレメント案内溝(37d) が備えられたミシンフット(33)を有し、
前記ファスナーストリンガー(21)の縫製時に、
前記ファスナーテープ(22)の前記エレメント列(23)が取着された側のテープ面と、前記被着体(10)の外部に露呈する側となる一面とを合わせて前記ファスナーストリンガー(21)を前記被着体(10)の上に重ねた状態で前記ファスナーストリンガー(21)及び前記被着体(10)を前記ミシンフット(33)に向けて搬送すること、
前記エレメント列(23)の前記噛合頭部(23a) が起き上がるように前記ファスナーテープ(22)を折り曲げながら、前記エレメント列(23)を前記ミシンフット(33)の前記エレメント案内溝(37d) に案内すること、及び、
前記ミシンフット(33)の前記エレメント案内溝(37d) に、前記エレメント列(23)と前記ファスナーテープ(22)の一部とを挿通させながら、前記ファスナーテープ(22)を前記被着体(10)に縫い付けること、
を含んでなることを特徴とするファスナーストリンガーの縫製方法。
【請求項２】
前記ファスナーストリンガー(21)として、前記エレメント列(23)が、コイル状又はジグザグ状の連続エレメントであり、前記ファスナーテープ(22)の一面に縫着されたファスナーストリンガーを用いることを含んでなる請求項１記載のファスナーストリンガーの縫製方法。
【請求項３】
前記エレメント列(23)が前記ミシンフット(33)の前記エレメント案内溝(37d) 内を走行するときに、前記ミシン(30)のミシン針(31)における中心軸から、前記ファスナーテープ(22)の折り曲げ基端位置までの幅方向における距離を１．２ｍｍ以下に設定することを含んでなる請求項１記載のファスナーストリンガーの縫製方法。
【請求項４】
前記エレメント案内溝(37d) は、前記ミシンフット(33)の押さえ面となる底面(37f) に対して所定の角度で傾斜し、且つ、前記ファスナーストリンガー(21)を搬送する方向に沿って配され、
前記エレメント列(23)が前記ミシンフット(33)の前記エレメント案内溝(37d) 内を走行するときに、前記ミシンフット(33)の前記底面(37f) に対する前記ファスナーテープ(22)の折り曲げ角度を６５°以上８０°以下に設定することを含んでなる請求項１記載のファスナーストリンガーの縫製方法。
【請求項５】
請求項１〜４のいずれかに記載のファスナーストリンガーの縫製方法により前記ファスナーストリンガー(21)が縫着された前記被着体(10)を、縫製線に沿って、前記ファスナーストリンガー(21)側とは反対の側に向けてＵ字状に折り曲げること、及び、左右一対の前記ファスナーストリンガー(21)にスライダー(26)を取り付けてスライドファスナー(20)を構成することを少なくとも含むことにより、前記被着体(10)に前記スライドファスナー(20)が取着されたファスナー被着製品(1) を製造することを特徴とするファスナー被着製品の製造方法。
【請求項６】
請求項５記載のファスナー被着製品の製造方法により製造されたことを特徴とするファスナー被着製品。
【請求項７】
Ｕ字状に折り曲げられた左右の被着体(10)にスライドファスナー(20)が縫着され、前記スライドファスナー(20)は、テープ面が同一平面に配される左右一対のファスナーテープ(22)の対向するテープ側縁部(22b) にエレメント列(23)が取着された左右のファスナーストリンガー(21)と、前記エレメント列(23)に沿って摺動可能に取着されたスライダー(26)とを有し、左右の前記ファスナーストリンガー(21)のうちの少なくとも一方の前記エレメント列(23)は、その噛合頭部(23a) を前記ファスナーテープ(22)のテープ端縁から突出させた状態で配され、左右の前記被着体(10)は、前記ファスナーテープ(22)の前記エレメント列(23)が取着されたテープ面側に配されてなるファスナー被着製品(1) であって、
左右の前記被着体(10)は、前記スライダー(26)に配された左右のフランジ(26d) の外面に接触し、左右の前記被着体(10)の間に前記エレメント列(23)が表出して配されてなることを特徴とするファスナー被着製品。
【請求項８】
前記エレメント列(23)が、コイル状又はジグザグ状の連続エレメントであり、前記ファスナーテープ(22)の一面に縫着されてなる請求項７記載のファスナー被着製品。
【請求項９】
前記被着体(10)は、前記スライドファスナー(20)が縫着されたファスナー取付部(11)と、前記ファスナー取付部(11)から幅方向に延び、Ｕ字状に折り曲げられた折曲部(12)と、前記折曲部(12)から幅方向に延び、一面が外部に露呈する本体部(13)とを有し、
前記スライドファスナー(20)は、前記被着体(10)の前記ファスナー取付部(11)のみに縫着されてなる、
請求項７記載のファスナー被着製品。
【請求項１０】
前記被着体(10)と前記ファスナーテープ(22)とを縫着する左右の縫製線は、前記スライダー(26)の左右の前記フランジ(26d) よりも外側に配されてなる請求項７記載のファスナー被着製品。
【請求項１１】
前記縫製線と前記エレメント列(23)との間の距離(D1)は、０．２ｍｍ以上１．６ｍｍ以下に設定されてなる請求項１０記載のファスナー被着製品。
【請求項１２】
前記縫製線と前記フランジ(26d) との間の距離(D2)は、０．１ｍｍ以上１．０ｍｍ以下に設定されてなる請求項１０記載のファスナー被着製品。
【請求項１３】
ファスナーテープ(22)と、前記ファスナーテープ(22)のテープ側縁部(22b) に取着されたエレメント列(23)とを有し、前記エレメント列(23)における噛合頭部(23a) が前記ファスナーテープ(22)のテープ端縁から突出したファスナーストリンガー(21)を、被着体(10)に縫い付けるミシン(30)に使用されるミシンフット(33)であって、
前記エレメント列(23)を挿通可能なエレメント案内溝(37d) が、前記ミシン(30)により前記ファスナーストリンガー(21)が搬送される方向に沿って形成され、
前記エレメント案内溝(37d) は、前記ファスナーテープ(22)を押さえる押さえ面に対して所定の角度で傾斜して配され、
前記エレメント案内溝(37d) の内壁面は、同エレメント案内溝(37d) 内を走行する前記エレメント列(23)を、噛合頭部(23a) 及び上脚部(23b) の少なくとも一つの側から支持する支持部を有してなる
ことを特徴とするミシンフット。
【請求項１４】
前記ミシンフット(33)は、前記ミシン(30)に装着されたときに、前記ミシン(30)のミシン針(31)における中心軸から、前記エレメント案内溝(37d) の内壁面までの幅方向における距離(D3)が１．２ｍｍ以下に設定されてなる請求項１３記載のミシンフット。
【発明の詳細な説明】
【技術分野】
【０００１】
本発明は、被着体にファスナーストリンガーを縫製する縫製方法、同縫製方法によりファスナーストリンガーが縫着された被着体からファスナー被着製品を製造する製造方法、並びに、その製造方法により得られるファスナー被着製品、及び前記縫製方法にて使用されるミシンフットに関する。
【背景技術】
【０００２】
従来、合成樹脂からなるコイル状の連続エレメントが縫着されたファスナーストリンガー又はファスナーチェーンを衣服などの各種の被着体に縫い付ける場合、例えば実開昭５１−９５４５９号公報（特許文献１）に開示されているようなミシンフットを有するミシンを用いて縫製加工が行われていた。【０００３】
ここで、特許文献１に開示されているミシンフットを用いて、連続エレメントが縫着されたファスナーチェーンを被着体に縫い付ける方法について簡単に説明する。
先ず、図１０に示すように、連続エレメント５２がファスナーテープ５３の上側に配されるようにファスナーチェーン５１を配置し、更にそのファスナーチェーン５１のファスナーテープ５３上に、被着体５４をＵ字状に折り曲げた状態で重ねる。このとき、連続エレメント５２とＵ字状に折り曲げられた被着体５４とは、ファスナーテープ５３の同じテープ面側に配される。【０００４】
上述のようにファスナーチェーン５１のファスナーテープ５３上に被着体５４を重ねた状態で、そのファスナーテープ５３及び被着体５４をミシンのミシンフット５５と図示しない針板との間に搬送する。そして、ミシンフット５５でファスナーテープ５３及び被着体５４を押さえながら、ファスナーテープ５３及び被着体５４にミシン針５６を刺通してそれらを縫い合わせることにより、被着体５４にファスナーチェーン５１を縫着することができる。【０００５】
このようにファスナーチェーン５１を被着体５４に縫着する場合、例えばファスナー被着製品の外観品質を高めるために、被着体５４のＵ字状に折り曲げられた折曲部５４ａをファスナーチェーン５１の連続エレメント５２に接近させるとともに、ファスナーテープ５３を被着体５４に縫い付けている縫製線（ステッチライン）を連続エレメント５２と略平行に形成しながら、縫製を正確に行うことが求められる。その一方で、ミシンにより縫製を行う場合、ミシン針５６の刺通部位やその近傍がミシンフット５５で隠されてしまうため、上述のような縫製を正確に行うことは困難とされていた。【０００６】
そこで、前記特許文献１では、ミシンに装着されるミシンフット５５が、透明な材料（例えば透明質の合成樹脂材料）を用いて構成されている。これにより、縫製時にミシン針５６の刺通部分やその近傍を、透明なミシンフット５５を介して容易に視認することができる。このため、被着体５４のＵ字状折曲部５４ａを連続エレメント５２に接近させることができ、また、縫製線が連続エレメント５２と略平行に配されるようにして縫製を正確に行うことが可能となる。【０００７】
なお、この場合でも、縫製時にミシンフット５５はファスナーテープ５３及び被着体５４を上方から安定して押さえなければならず、また、ミシンフット５５自体が所定の強度を有する必要がある。このため、ミシンフット５５は、幅方向（左右方向）の寸法が所定の大きさ以上で確保されるように形成されなければならなかった。このため、縫製時にミシンフット５５と連続エレメント５２とが干渉しないように、縫製線は連続エレメント５２から所定の距離で離間した位置に設定されなければならず、被着体５４のＵ字状折曲部５４ａを連続エレメント５２に接近させることには限界があった。【０００８】
ところで、図１０に示したような連続エレメント５２を有するスライドファスナーは、被着体５４に取り付けたときに、連続エレメント５２がファスナー被着製品の外面（露出面）側に配されるため、通常の使用形態においては連続エレメント５２が外部に露呈した状態となる。【０００９】
しかし、近年において、スライドファスナーは、衣服だけでなく、例えば自動車用の座席シートなどにも広く用いられてきている。このため、スライドファスナーが取着される製品によっては、デザイン的な観点等から、連続エレメントを外部に露呈させないように隠すことを望む場合があった。【００１０】
このような要望に応えるために、連続エレメントをファスナーテープで隠蔽して外面側から見えないようにすることが可能な隠しタイプのスライドファスナー（隠しスライドファスナー）が知られている（例えば、特開２００６−０１５０６９号公報（特許文献２）などを参照）。【００１１】
通常、隠しスライドファスナーは、左右一対のファスナーテープと、各ファスナーテープに縫着されたコイル状又はジグザグ状の連続エレメントと、左右の連続エレメントに沿って摺動可能に配されたスライダーとを有している。この場合、ファスナーテープは、テープ本体部と、テープ本体部の一側縁側に配されたエレメント取付部とを有しており、エレメント取付部側のテープ本体部がテープ幅方向にＵ字状に折り曲げられることにより折曲部が形成されている。【００１２】
連続エレメントは、噛合頭部と、噛合頭部から延設された上下脚部と、互いに隣接するエレメントの脚部間を連結する連結部（反転部とも言う）とを有している。この連続エレメントは、噛合頭部をファスナーテープのテープ本体部側に向けた状態で、縫製糸により上下脚部をファスナーテープのエレメント取付部に縫い付けることにより取り付けられている。このため、ファスナーテープが上述のようにＵ字状に折り曲げられることにより、連続エレメントの噛合頭部がファスナーテープのＵ字状折曲部から外方に向けて突出した状態となる。【００１３】
このような隠しスライドファスナーによれば、スライダーを摺動させて左右の連続エレメントを噛合させることにより、左右のファスナーテープのＵ字状折曲部同士が付き合わされる。このため、噛合状態にある左右の連続エレメントは、その折曲部同士が付き合わされたファスナーテープによって、ファスナーテープのテープ露出面側から見えないように隠蔽することが可能となる。【００１４】
従って、隠しスライドファスナーは、その隠蔽性から製品のデザイン性を妨げないという利点を生かして、各種衣類や靴等の製品に好適に使用されており、更に近年では、自動車や列車の座席シート用シートカバー等にも用いられてきている。
【先行技術文献】
【特許文献】
【００１５】
【特許文献１】実開昭５１−９５４５９号公報
【特許文献２】特開２００６−０１５０６９号公報
【発明の概要】
【発明が解決しようとする課題】
【００１６】
従来、自動車のシートカバー等の被着製品にスライドファスナーが用いられる場合、連続エレメントが製品のデザインに影響を与えないようにするために、噛合状態にある連続エレメントが外部から見えないようにする上述のような隠しスライドファスナーを使用することが一般的であった。【００１７】
一方、スライドファスナーに用いられる合成樹脂製のエレメントは、様々な色彩を与えることが可能であるため、スライドファスナーが取り付けられる被着製品のデザイン等に応じて、エレメントの色を容易に変更することが可能である。そこで、近年では隠しスライドファスナーが多く用いられているシートカバー等の被着製品に対して、スライドファスナーの連続エレメントを外部に積極的に表出させることによって、その被着製品に新たな意匠性を持たせるという試みが出てきている。【００１８】
しかし、連続エレメントを積極的に表出させてシートカバー等のファスナー被着製品を構成する場合、例えば前記特許文献１に記載されているような従来の縫製方法を用いて、連続エレメントを有するスライドファスナーを被着体に縫い付けるときに、上述のように、ファスナーテープ５３を被着体５４に縫着している縫製線を、連続エレメント５２から所定の距離で離間させなければならず、被着体５４のＵ字状折曲部５４ａを連続エレメント５２に接近させることができなかった。【００１９】
このため、連続エレメント５２を外部に表出させるようにしてスライドファスナーを被着体５４に縫い付けた場合、縫製後に得られるファスナー被着製品は、連続エレメント５２が外部に表出するだけでなく、ファスナーテープ５３も必然的に外部に表出して構成されることになる。【００２０】
このようにスライドファスナーのファスナーテープ５３が連続エレメント５２とともに外部に表出してしまうと、連続エレメント５２を積極的に表出させることによってファスナー被着製品に新たな意匠性を与えようとしても、スライドファスナーが取着された左右の被着体が互いに大きく離間することや、被着体とファスナーテープとの間に段差が形成されることなどにより、ファスナー被着製品の見栄えが悪くなるという問題や、デザイン性が低下するという問題が生じる。【００２１】
一方、ファスナーテープが外部になるべく表出しないように、例えば縫製線が連続エレメントの近傍に位置するようにしてファスナーテープと被着体の縫製を行うと、縫製時にミシンフットと連続エレメントとが互いに干渉し、ファスナーストリンガーを被着体に安定して縫着させることができないという問題があった。【００２２】
本発明は上記従来の課題に鑑みてなされたものであって、その具体的な目的は、エレメント列を表出させると同時にファスナーテープを表出しないように隠してファスナーストリンガーを被着体に縫着することが可能なファスナーストリンガーの縫製方法、及び、その縫製方法によりファスナーストリンガーが縫着された被着体からファスナー被着製品を製造する製造方法、並びに、その製造方法により得られるファスナー被着製品、及び前記縫製方法にて使用するミシンフットを提供することにある。
【課題を解決するための手段】
【００２３】
上記目的を達成するために、本発明により提供されるファスナーストリンガーの縫製方法は、基本的な構成として、テープ面が同一平面に配されるファスナーテープと、前記ファスナーテープのテープ側縁部に取着されたエレメント列とを有し、前記エレメント列における噛合頭部が前記ファスナーテープのテープ端縁から突出したファスナーストリンガーを、被着体に対して、ミシンを用いて縫い付けるファスナーストリンガーの縫製方法であって、前記ミシンは、前記エレメント列と前記ファスナーテープの一部とを挿通可能なエレメント案内溝が備えられたミシンフットを有し、前記ファスナーストリンガーの縫製時に、前記ファスナーテープの前記エレメント列が取着された側のテープ面と、前記被着体の外部に露呈する側となる一面とを合わせて前記ファスナーストリンガーを前記被着体の上に重ねた状態で前記ファスナーストリンガー及び前記被着体を前記ミシンフットに向けて搬送すること、前記エレメント列の前記噛合頭部が起き上がるように前記ファスナーテープを折り曲げながら、前記エレメント列を前記ミシンフットの前記エレメント案内溝に案内すること、及び、前記ミシンフットの前記エレメント案内溝に、前記エレメント列と前記ファスナーテープの一部とを挿通させながら、前記ファスナーテープを前記被着体に縫い付けること、を含んでなることを最も主要な特徴とするものである。
この場合、本発明に係るファスナーストリンガーの縫製方法は、前記ファスナーストリンガーとして、前記エレメント列が、コイル状又はジグザグ状の連続エレメントであり、前記ファスナーテープの一面に縫着されたファスナーストリンガーを用いることを含んでいることが好ましい。【００２４】
また、本発明に係るファスナーストリンガーの縫製方法は、前記エレメント列が前記ミシンフットの前記エレメント案内溝内を走行するときに、前記ミシンのミシン針における中心軸から、前記ファスナーテープの折り曲げ基端位置までの幅方向における距離を１．２ｍｍ以下に設定することを含んでいることが好ましい。【００２５】
更に、本発明の縫製方法において、前記エレメント案内溝は、前記ミシンフットの押さえ面となる底面に対して所定の角度で傾斜し、且つ、前記ファスナーストリンガーを搬送する方向に沿って配され、前記エレメント列が前記ミシンフットの前記エレメント案内溝内を走行するときに、前記ミシンフットの前記底面に対する前記ファスナーテープの折り曲げ角度を６５°以上８０°以下に設定することが好ましい。【００２６】
また、本発明により提供されるファスナー被着製品の製造方法は、上述の構成を有するファスナーストリンガーの縫製方法により前記ファスナーストリンガーが縫着された前記被着体を、縫製線に沿って、前記ファスナーストリンガー側とは反対の側に向けてＵ字状に折り曲げること、及び、左右一対の前記ファスナーストリンガーにスライダーを取り付けてスライドファスナーを構成することを少なくとも含むことにより、前記被着体に前記スライドファスナーが取着されたファスナー被着製品を製造することを最も主要な特徴とするものである。
更に、本発明によれば、上述の構成を有するファスナー被着製品の製造方法により製造されたファスナー被着製品を提供することができる。【００２７】
また、本発明により提供されるファスナー被着製品は、基本的な構成として、Ｕ字状に折り曲げられた左右の被着体にスライドファスナーが縫着され、前記スライドファスナーは、テープ面が同一平面に配される左右一対のファスナーテープの対向するテープ側縁部にエレメント列が取着された左右のファスナーストリンガーと、前記エレメント列に沿って摺動可能に取着されたスライダーとを有し、左右の前記ファスナーストリンガーのうちの少なくとも一方の前記エレメント列は、その噛合頭部を前記ファスナーテープのテープ端縁から突出させた状態で配され、左右の前記被着体は、前記ファスナーテープの前記エレメント列が取着されたテープ面側に配されてなるファスナー被着製品であって、左右の前記被着体は、前記スライダーに配された左右のフランジの外面に接触し、左右の前記被着体の間に前記エレメント列が表出して配されてなることを最も主要な特徴とするものである。【００２８】
本発明に係るファスナー被着製品において、前記エレメント列が、コイル状又はジグザグ状の連続エレメントであり、前記ファスナーテープの一面に縫着されていることが好ましい。【００２９】
また、本発明のファスナー被着製品において、前記被着体は、前記スライドファスナーが縫着されたファスナー取付部と、前記ファスナー取付部から幅方向に延び、Ｕ字状に折り曲げられた折曲部と、前記折曲部から幅方向に延び、一面が外部に露呈する本体部とを有し、前記スライドファスナーは、前記被着体の前記ファスナー取付部のみに縫着されていることが好ましい。【００３０】
更に、本発明のファスナー被着製品において、前記被着体と前記ファスナーテープとを縫着する左右の縫製線は、前記スライダーの左右の前記フランジよりも外側に配されていることが好ましい。【００３１】
この場合、前記縫製線と前記エレメント列との間の距離は、０．２ｍｍ以上１．６ｍｍ以下に設定されていることが好ましい。また、前記縫製線と前記フランジとの間の距離は、０．１ｍｍ以上１．０ｍｍ以下に設定されていることが好ましい。【００３２】
次に、本発明により提供されるミシンフットは、基本的な構成として、ファスナーテープと、前記ファスナーテープのテープ側縁部に取着されたエレメント列とを有し、前記エレメント列における噛合頭部が前記ファスナーテープのテープ端縁から突出したファスナーストリンガーを、シート状の被着体に縫い付けるミシンに使用されるミシンフットであって、前記エレメント列を挿通可能なエレメント案内溝が、前記ミシンにより前記ファスナーストリンガーが搬送される方向に沿って形成され、前記エレメント案内溝は、前記ファスナーテープを押さえる押さえ面に対して所定の角度で傾斜して配され、前記エレメント案内溝の内壁面は、同エレメント案内溝内を走行する前記エレメント列を、噛合頭部及び上脚部の少なくとも一つの側から支持する支持部を有してなることを最も主要な特徴とするものである。【００３３】
また、本発明に係るミシンフットは、前記ミシンフットは、前記ミシンに装着されたときに、前記ミシンのミシン針における中心軸から、前記エレメント案内溝の内壁面までの幅方向における距離が１．２ｍｍ以下に設定されていることが好ましい。
【発明の効果】
【００３４】
本発明のファスナーストリンガーの縫製方法では、エレメント列とファスナーテープの一部とを挿通可能な所定のエレメント案内溝が備えられたミシンフットを有するミシンを用いて、ファスナーストリンガーを被着体に縫い付ける。また、ファスナーストリンガーの縫製を行う際には、少なくとも以下のような工程が行われる。【００３５】
具体的には、先ず、ファスナーテープのエレメント列が取着された側のテープ面と、被着体の外部に露呈する側となる一面とを合わせてファスナーストリンガーを被着体の上に重ね、エレメント列がファスナーテープと被着体との間に配された状態で、そのファスナーストリンガー及び被着体をミシンフットに向けて搬送する。【００３６】
続いて、エレメント列の噛合頭部が起き上がるようにファスナーテープを被着体側とは反対の側（上方側）に折り曲げながら、エレメント列をミシンフットのエレメント案内溝に案内する。その後、ミシンフットのエレメント案内溝に、エレメント列とファスナーテープの一部とを挿通させながら、ファスナーテープをエレメント列の近傍位置で被着体に縫い付ける。【００３７】
上述のようにしてファスナーストリンガーを被着体に縫い付ける本発明の縫製方法であれば、ファスナーストリンガーを被着体に縫着した後に、被着体をＵ字状に折り曲げたときに、ファスナーストリンガーのエレメント列と被着体のＵ字状折曲部とを互いに近接又は接触させることができる。これにより、エレメント列が外面（露出面）側に表出するとともに、同エレメント列と被着体のＵ字状折曲部との間からファスナーテープを見え難く、又は見えなくしたファスナーストリンガー付きの被着体を容易に得ることができる。【００３８】
なお、本発明におけるエレメント列は、連続エレメント（例えば、コイルエレメント又はジグザグエレメント）とし、このエレメント列がファスナーテープの一表面に縫着されていることにより、エレメント列がテープ表面から大きく隆起して見え、且つ、エレメント間からファスナーテープも見え難く、見栄えの良いファスナーストリンガーを得ることができる。【００３９】
このような本発明に係る縫製方法において、エレメント列がミシンフットのエレメント案内溝内を走行するときに、ミシンのミシン針における中心軸から、ファスナーテープの折り曲げ基端位置までの幅方向における距離を１．２ｍｍ以下、好ましくは０．２ｍｍ以上１．２ｍｍ以下に設定することができる。【００４０】
前述の幅方向における距離を０．２ｍｍ以上に設定することにより、ミシン針をファスナーテープ及び被着体に円滑に刺通させることができる。このため、ファスナーストリンガーを被着体に縫着したときに、縫製糸の糸締まりに支障が出ることを防いで、ファスナーストリンガーを被着体に安定して縫着できるとともに、ミシン針が刺通するときに縫製糸がエレメント列に当たって縫製糸がダメージを受けることも防止できる。【００４１】
更に、前述の幅方向における距離を０．２ｍｍ以上に設定することにより、スライドファスナーを構成したときに、ファスナーストリンガーのエレメント列と被着体のＵ字状折曲部との間に、スライダーのフランジを容易に挿通させることが可能となる。このため、ファスナーストリンガーのエレメント列と被着体のＵ字状折曲部とを近接又は接触させることによりスライダーの摺動性が低下することを抑えられる。【００４２】
一方、前述の幅方向における距離を１．２ｍｍ以下に設定することにより、ファスナーストリンガーのエレメント列と被着体のＵ字状折曲部との間の寸法を小さくできるため、エレメント列と被着体のＵ字状折曲部との間からファスナーテープをより見え難くすることができる。更に、前述の幅方向における距離を１．２ｍｍ以下に設定することにより、ファスナーストリンガーが縫着された被着体にパッカリングを発生し難くすることができる。【００４３】
ここで、パッカリングとは、ファスナーストリンガーを被着体に縫着する縫製糸の張力が強いために、被着体が縫製線の部分で強く締められて長さ方向に収縮することにより、被着体やファスナーテープが波打ち状のしわが生じる現象である。【００４４】
本発明では、前述の幅方向における距離を１．２ｍｍ以下に設定することにより、ファスナーストリンガーを被着体に縫着している縫製線をエレメント列の近傍に配置することができる。これにより、被着体が縫製線の部分で強く締められても、エレメント列の剛性を利用して、被着体がその長さ方向に収縮することを抑えられるため、上述のように、ファスナーストリンガーや被着体にパッカリングを発生し難くすることができる。【００４５】
また、本発明に係る縫製方法において、ミシンフットのエレメント案内溝は、ミシンフットの底面に対して所定の角度で傾斜し、且つ、ファスナーストリンガーを搬送する方向に沿って配されている。この場合、エレメント列がミシンフットのエレメント案内溝内を走行するときに、ミシンフットの底面に対するファスナーテープの折り曲げ角度を６５°以上８０°以下に設定することができる。ファスナーテープの折り曲げ角度を上記の範囲に設定することにより、ミシン針をより円滑にファスナーテープ及び被着体に刺通させて、ファスナーテープをエレメント列の近傍位置で被着体に安定して縫い付けることができる。【００４６】
次に、本発明により提供されるファスナー被着製品の製造方法では、上述のファスナーストリンガーの縫製方法によりファスナーストリンガーが縫着された被着体を、縫製線に沿って、前記ファスナーストリンガー側とは反対の側に向けてＵ字状に折り曲げる。更に、左右一対のファスナーストリンガーにスライダーを取り付けてスライドファスナーを構成することにより、ファスナー被着製品を製造する。【００４７】
このような本発明に係るファスナー被着製品の製造方法であれば、左右の被着体のＵ字状折曲部間にファスナーストリンガーのエレメント列が表出し、しかも、ファスナーストリンガーのエレメント列と被着体のＵ字状折曲部とが互いに近接又は接触しているため、ファスナーテープが見え難く、又は見えないファスナー被着製品を容易に且つ安定して製造することができる。【００４８】
そして、上述のファスナー被着製品の製造方法により製造された本発明のファスナー被着製品は、左右の被着体のＵ字状折曲部間にエレメント列が表出し、且つ、ファスナーテープは被着体により外部から（露出面側から）見え難く、又は見えないように配されている。このため、エレメント列を積極的に表出させることによってファスナー被着製品に新たな意匠性を与えることができるとともに、ファスナーテープの露出に起因する被着製品の見栄えが悪くなったり、デザイン性が低下したりするという従来の問題を容易に解消できる。【００４９】
また、本発明に係るファスナー被着製品は、Ｕ字状に折り曲げられた左右の被着体にスライドファスナーが縫着されている。また、同ファスナー被着製品における左右の被着体は、スライダーに配された左右のフランジの外面に接触し、左右の被着体の間にはエレメント列が表出して配されている。【００５０】
このような本発明のファスナー被着製品であれば、ファスナーテープが被着体により外部から見え難く、又は見えないように配される。このため、同ファスナー被着製品は、エレメント列の表出により従来とは違った意匠性を有するとともに、ファスナーテープの露出に起因する見栄えやデザイン性の問題を容易に解消できる。【００５１】
この場合、エレメント列が、コイル状又はジグザグ状の連続エレメントであり、ファスナーテープの一面に縫着されていることにより、エレメント列がテープ表面から大きく隆起して見え、且つ、エレメント間からファスナーテープも見え難いため、ファスナー被着製品の見栄えを良くすることができる。【００５２】
特に本発明では、ファスナーテープを見えなく、又は見え難くし、被着体とエレメントとの色彩、或いは、被着体とエレメントとエレメントを縫着する縫製糸との色彩をそれぞれ異なる色彩とすることにより、意匠性に優れたファスナー被着製品を提供することができる。【００５３】
また、本発明のファスナー被着製品において、前記被着体は、スライドファスナーが縫着されたファスナー取付部と、ファスナー取付部から幅方向に延び、Ｕ字状に折り曲げられた折曲部と、折曲部から幅方向に延び、一面が外部に露呈する本体部とを有し、スライドファスナーは、被着体のファスナー取付部のみに縫着されている。【００５４】
このようにスライドファスナーが被着体のファスナー取付部のみに縫着されたファスナー被着製品は、スライドファスナーが被着体に安定して縫着されるとともに、縫製糸により形成される縫製線が被着体の露出面側に表れないため、ファスナー被着製品の見栄えを更に良くすることができる。【００５５】
また、本発明のファスナー被着製品において、被着体とファスナーテープとを縫着する左右の縫製線は、スライダーの左右のフランジよりも外側に配されている。これにより、ファスナーストリンガーのエレメント列と被着体のＵ字状折曲部とを近接又は接触させて配置しても、スライダーの摺動性の低下を招き難くすることができる。【００５６】
この場合、縫製線とエレメント列との間の距離を、０．２ｍｍ以上１．６ｍｍ以下に設定することができる。縫製線とエレメント列との間の距離を０．２ｍｍ以上に設定することにより、ファスナーテープと被着体の縫製を円滑に行うことができる。このため、上述したように、ファスナーストリンガーを被着体に縫着したときに、縫製糸の糸締まりに支障が出ることを防止できるとともに、ミシン針が刺通するときに縫製糸がエレメント列に当たって縫製糸がダメージを受けることも防止できる。更に、スライダーの摺動性が大幅に低下することもない。【００５７】
一方、縫製線とエレメント列との間の距離を１．６ｍｍ以下に設定することにより、エレメント列と被着体のＵ字状折曲部との間からファスナーテープをより見え難く、又は見えなくすることができる。更に、ファスナーストリンガーや被着体にパッカリングを発生し難くすることができる。【００５８】
更に本発明では、縫製線とスライダーのフランジとの間の距離を、０．１ｍｍ以上１．０ｍｍ以下に設定することができる。縫製線とスライダーのフランジとの間の距離を０．１ｍｍ以上に設定することにより、スライダーの円滑な摺動を確保することができる。一方、縫製線とスライダーのフランジとの間の距離を１．０ｍｍ以下に設定することにより、ファスナーテープをより見え難く、又は見えなくすることができるため、被着製品の見栄えが悪くなることや、デザイン性が低下することを防止できる。【００５９】
次に、本発明に係るミシンフットでは、エレメント列を挿通可能なエレメント案内溝がファスナーストリンガーの搬送方向に沿って形成されている。また、そのエレメント案内溝は、ファスナーテープを押さえる押さえ面に対して所定の角度で傾斜して配されている。更に、同エレメント案内溝の内壁面は、エレメント列における噛合頭部及び上脚部の少なくとも一つを支持可能な支持部を有している。【００６０】
このような本発明のミシンフットを用いることにより、ファスナーストリンガーのエレメント列と被着体のＵ字状折曲部とが互いに近接又は接触するように、ファスナーストリンガーと被着体の縫製を容易に行うことができる。【００６１】
この場合、ミシンフットは、ミシンに装着されたときに、ミシン針における中心軸から、エレメント案内溝の内壁面までの幅方向における距離を１．２ｍｍ以下、好ましくは０．２ｍｍ以上１．２ｍｍ以下に設定することができる。【００６２】
上述の幅方向における距離を０．２ｍｍ以上に設定することにより、ミシン針が刺通するときに縫製糸がエレメント列に当たって縫製糸がダメージを受けることを防止でき、また、ファスナーストリンガーを被着体に縫着したときに、縫製糸の糸締まりに支障が出ることも防止できる。【００６３】
一方、上述の幅方向における距離を１．２ｍｍ以下に設定することにより、エレメント列と被着体のＵ字状折曲部との間からファスナーテープが見え難く、又は見えなくなるように、ファスナーストリンガーと被着体の縫製を安定して行うことができる。
【図面の簡単な説明】
【００６４】
【図１】図１は、本発明に係るファスナー被着製品の使用形態の１つである自動車用シートカバーを示す斜視図である。
【図２】図２は、同シートカバーの要部における断面を拡大して示す断面斜視図である。
【図３】図３は、同シートカバーに取り付けられたスライドファスナーを拡大して示す要部拡大図である。
【図４】図４は、図３に示したＩＶ−ＩＶ線における断面図である。
【図５】図５は、本発明に係るミシンフットを備えたミシンにおける針落ち位置付近を拡大して示した要部斜視図である。
【図６】図６は、同ミシンフットを斜め上方から見た斜視図である。
【図７】図７は、同ミシンフットを斜め下方から見た斜視図である。
【図８】図８は、同ミシンフットの断面図である。
【図９】図９は、縫製時におけるミシンフット、ファスナーストリンガー、及び被着体の状態を模式的に示す断面図である。
【図１０】図１０は、ファスナーチェーンに被着体を縫製する従来の縫製方法を説明する模式図である。
【発明を実施するための形態】
【００６５】
以下、本発明の好適な実施の形態について、実施例を挙げて図面を参照しながら詳細に説明する。なお、本発明は、以下で説明する実施形態に何ら限定されるものではなく、本発明と実質的に同一な構成を有し、かつ、同様な作用効果を奏しさえすれば、多様な変更が可能である。
【００６６】
例えば、以下の実施形態では、エレメント列として連続エレメントであるコイル状のエレメントがファスナーテープに縫着されている場合について説明しているが、本発明はこれに限定されず、コイル状のエレメントの代わりに、ジグザグ状のエレメントを連続エレメントとして用いることも可能である。また、エレメント列は、連続エレメントではなく、合成樹脂材料をファスナーテープに射出成形によって固定された複数のエレメントであっても良い。更に、以下の実施形態では、ファスナー被着製品が自動車用シートカバーである場合について説明しているが、本発明はその他のファスナー被着製品に対しても同様に適用することができる。
【００６７】
ここで、図１は、本実施形態に係るファスナー被着製品としての自動車用シートカバーを示す斜視図である。図２は、同シートカバーの要部における断面を拡大して示す断面斜視図である。また、図３は、同シートカバーに取り付けられたスライドファスナーを拡大して示す要部拡大図であり、図４は、図３に示したＩＶ−ＩＶ線における断面図である。
【００６８】
本実施形態の自動車用シートカバー１は、自動車用シート２のクッション体３の表面に被せて取り付けられるように構成されており、クッション体３を被覆する複数のシート状の表皮材１０と、それらの表皮材１０間を連結する連結部２３ｄ材となるスライドファスナー２０とを有している。
【００６９】
特に、本実施形態のシートカバー１では、自動車用シート２の稜線部２ａとなる部位にスライドファスナー２０が配されており、そのスライドファスナー２０が配されている稜線部２ａに沿って、スライドファスナー２０の後述する連続エレメント２３が外部に表出して配されている。
【００７０】
本実施形態のシートカバー１には、スライドファスナー２０が取り付けられる被着体として，所定の形状に裁断された複数枚の表皮材１０が用いられている。各表皮材１０は、弾性を備えた発泡ポリウレタンからなる内側の図示しないクッション層と、外面（露出面）側に配される合成樹脂製の図示しない表皮層とを有している。また、この表皮材１０は、クッション層と表皮層の全体で２ｍｍ以上１０ｍｍ以下の厚さを有するように形成されている。なお、本発明において、被着体となる表皮材１０の材質、形状、厚さなどは特に限定されるものではなく、必要に応じて任意に変更することができる。
【００７１】
また、スライドファスナー２０が取り付けられる表皮材１０は、図２に示すように、スライドファスナー２０の後述するファスナーテープ２２が縫着されるファスナー取付部１１と、ファスナー取付部１１の一側縁から延設され、Ｕ字状に折り曲げられた折曲部１２と、折曲部１２から更に延設され、クッション体３を覆う本体部１３とを有している。この場合、Ｕ字状折曲部１２の一部及び本体部１３における一方の面が、外部に露出する外面（露出面）となる。
【００７２】
シートカバー１に用いられるスライドファスナー２０は、左右一対のファスナーストリンガー２１と、左右のファスナーストリンガー２１を開閉することが可能なスライダー２６とを有している。また、左右の各ファスナーストリンガー２１は、織成又は編成された細帯状のファスナーテープ２２と、左右それぞれのファスナーテープ２２に縫着されたコイル状の連続エレメント（エレメント列）２３とを備えている。
【００７３】
ファスナーテープ２２は、表皮材１０に縫着されるテープ主体部２２ａと、テープ主体部２２ａの一側縁から延設され、連続エレメント２３が縫着されるエレメント取付部（テープ側縁部）２２ｂとを有している。また、ファスナーテープ２２は、ファスナーストリンガー２１が構成されたときに、例えば隠しスライドファスナーのファスナーテープなどのようにＵ字状に折り曲げられた状態で熱セットされておらず、そのテープ面が同一平面を形成するように配されている。更に、スライドファスナー２０において左右の連続エレメント２３が噛合状態にあるときにも、左右のファスナーテープ２０のテープ面は同一平面を形成することが可能である。
【００７４】
なお、図２に示したようにシートカバー１をクッション体３に取り付ける場合、スライドファスナー２０は自動車用シート２の稜線部２ａに配される。従って、シートカバー１がクッション体３に取り付けられたときには、ファスナーテープ２０はクッション体３の形状に合わせて容易に湾曲するため、ファスナーテープ２０のテープ面は当然に同一平面を形成することはない。
【００７５】
エレメント列を構成する連続エレメント２３は、ポリエステル等の合成樹脂製のモノフィラメントをコイル状に成形することにより形成されている。この連続エレメント２３は、噛合頭部２３ａと、同噛合頭部２３ａから延設された上下脚部２３ｂ，２３ｃと、上脚部２３ｂ又は下脚部２３ｃの端部を、隣接するファスナーエレメントの下脚部２３ｃ又は上脚部２３ｂと連結する連結部２３ｄとを有している。
【００７６】
この連続エレメント２３は、上下脚部２３ｂ，２３ｃ間に芯紐２４が挿通され、且つ、噛合頭部２３ａがファスナーテープ２２のテープ側縁から外方に突出した状態で、ファスナーテープ２２のエレメント取付部２２ｂにエレメント縫製糸２５で縫着されている。
【００７７】
なお、本実施形態の連続エレメント２３は、後述されるとおり、ファスナーテープ２２の表面（被着体である表皮材１０が縫製される面）に縫着されている。このため、同連続エレメント２３は、ファスナーテープ２２の表面に対して大きく膨出している。
【００７８】
本実施形態のスライドファスナー２０に使用されるスライダー２６は、従来のコイル状の連続エレメントが配されたスライドファスナーにおいて一般的に用いられているスライダーと実質的に同様に構成されている。具体的には、同スライダー２６は、スライダー胴体２６ａと、スライダー胴体２６ａに回動可能に保持される図示しない引手とを備えている。
【００７９】
また、スライダー胴体２６ａは、上下翼板２６ｂ，２６ｃと、同上下翼板２６ｂ，２６ｃをその端部にて連結する図示しない連結柱と、上下翼板２６ｂ，２６ｃの各左右側縁に設けられたフランジ２６ｄと、上翼板２６ｂの表面（上面）に立設された引手取付柱２６ｅと有している。
【００８０】
このような本実施形態のシートカバー１において、スライドファスナー２０は、縫製糸１５によってファスナー取付部１１に縫い付けられている。この場合、スライドファスナー２０は、ファスナーテープ２２の連続エレメント２３を縫着している側のテープ面と同じテープ面上に表皮材１０が配されるように縫い付けられている。また、表皮材１０は折曲部１２でＵ字状に折り曲げられているため、表皮材１０の露出する外面と同じ面側にスライドファスナー２０のファスナーテープ２２が配されている。
【００８１】
更に、スライドファスナー２０は、縫製糸１５によって、例えば前記特許文献１（図１０を参照）のように折り曲げられた被着体５４のファスナー取付部及び本体部の２つの部分に縫い付けられているものではなく、表皮材１０のファスナー取付部１１のみに縫い付けられている。これにより、縫製糸１５により形成される縫製線が表皮材１０の外面（露出面）に表れることはないため、シートカバー１の見栄えを良くすることができる。
【００８２】
上述のような表皮材１０とスライドファスナー２０とを有する本実施形態のシートカバー１は、左右の連続エレメント２３を噛合させてスライドファスナー２０を閉鎖したときに、スライドファスナー２０の両側に配される左右の表皮材１０の間に、特に表皮材１０のＵ字状折曲部１２の間に、連続エレメント２３が表出するように構成されている。
【００８３】
また、スライドファスナー２０は、スライダー２６の左右フランジ２６ｄの外面に表皮材１０のＵ字状折曲部１２が接触するように、左右の表皮材１０の間に取り付けられている。特に本実施形態の場合、スライダー２６を摺動させて左右の連続エレメント２３を噛合させたときに、左右の表皮材１０のＵ字状折曲部１２が、噛合状態にある左右の連続エレメント２３の連結部２３ｄと接触するようにして、スライドファスナー２０が表皮材１０に取り付けられている。
【００８４】
これにより、スライドファスナー２０が閉鎖している状態では、スライドファスナー２０の左右のファスナーテープ２２を、左右の表皮材１０によってそれぞれ覆い隠すことが可能となる。このため、シートカバー１を外面側から見たときに、表皮材１０の間には噛合した連続エレメント２３を表出させ、一方、ファスナーテープ２２を見えなく（又は、見え難く）させることができる。
【００８５】
一方、上述のようにスライダー２６の左右フランジ２６ｄの外面に表皮材１０のＵ字状折曲部１２が接触するようにシートカバー１が構成されている場合において、表皮材１０とスライダー２６との間に生じる摩擦力が大きくなり過ぎると、スライダー２６の摺動性を低下させる原因となる。
【００８６】
このため、本実施形態では、表皮材１０とスライダー２６との間の摩擦力がスライダー２６の摺動性に与える影響を小さくするために、表皮材１０とファスナーテープ２２とを縫着している左右の縫製線（縫製糸１５）の位置が、ファスナーテープ２２のテープ幅方向において、スライダー２６の左右フランジ２６ｄの位置よりも外側に設定されている。これにより、本実施形態のように、表皮材１０のＵ字状折曲部１２が連続エレメント２３の連結部２３ｄに接触するようにシートカバー１が構成されている場合でも、スライダー２６の摺動性が大きく低下することはなく、図４に示すように表皮材１０の折曲部１２を弾性変形させながら、スライダー２６を円滑に摺動させることができる。
【００８７】
この場合、縫製線（縫製糸１５）の位置は、同縫製線と連続エレメント２３との間のテープ幅方向における距離（寸法）Ｄ１が０．２ｍｍ以上１．６ｍｍ以下、好ましくは０．５ｍｍ以上１．０ｍｍ以下となるように設定されている。
この縫製線と連続エレメント２３の連結部２３ｄとの間の距離Ｄ１を０．２ｍｍ以上（好ましくは０．５ｍｍ以上）に設定することにより、スライダー２６の安定した摺動性を確保することができる。更に、ファスナーストリンガー２１を表皮材１０にミシン３０を用いて縫製する際に（詳しい説明は後に行う）、ミシン針３１を連続エレメント２３に干渉させることなく、ファスナーテープ２２と表皮材１０とに円滑に刺通させることができる。このため、縫製加工を安定して行うことができるとともに、縫製糸１５がダメージを受けることを防止して、連続エレメント２３をしっかりと縫着することができる。
【００８８】
また、縫製線と連続エレメント２３の連結部２３ｄとの間の距離Ｄ１を１．６ｍｍ以下（好ましくは１．０ｍｍ以下）に設定することにより、連続エレメント２３と表皮材１０のＵ字状折曲部１２との間の寸法を小さくして、ファスナーテープ２２を効果的に隠すことができる。
【００８９】
また、前記距離Ｄ１を１．６ｍｍ以下にすることにより、縫製線を連続エレメント２３のより近い位置に配置することができる。このため、連続エレメント２３の剛性を利用して、表皮材１０及びファスナーストリンガー２１がその長さ方向に収縮することを抑えられる。このため、表皮材１０にファスナーストリンガー２１を縫い付けた際に、シートカバー１にパッカリング（波打ち状のしわ）を発生し難くすることができる。
【００９０】
更に、本実施形態において、縫製線の位置は、縫製線とスライダー２６のフランジ２６ｄとの間の距離（寸法）Ｄ２が０．１ｍｍ以上１．０ｍｍ以下となるように設定されている。この縫製線とフランジ２６ｄとの間の距離Ｄ２を０．１ｍｍ以上に設定することにより、スライダー２６をより円滑に摺動させることができる。
【００９１】
一方、縫製線とフランジ２６ｄとの間の距離Ｄ２を１．０ｍｍ以下に設定することにより、表皮材１０とスライダー２６のフランジ２６ｄとを確実に接触させて、ファスナーテープ２２をより効果的に隠すことができる。なお、本実施形態において、縫製線と連続エレメント２３との間のテープ幅方向における距離Ｄ１は、表皮材１０の厚さ（特に、Ｕ字状折曲部１２の厚さ）とスライダー２６のフランジ２６ｄの幅方向の寸法との和よりも小さくなるように設定されている。
【００９２】
次に、本実施形態に係るシートカバー１を製造する方法について説明する。
先ず、スライドファスナー２０における一方のファスナーストリンガー２１を、一方の表皮材１０にミシン３０を用いて縫い付ける。ここで、ファスナーストリンガー２１と表皮材１０の縫製を行うミシン３０について、図５〜図９を参照しながら説明する。
【００９３】
なお、以下のミシン３０における説明において、縫製対象物（ファスナーストリンガー２１及び表皮材１０）にミシン針３１を刺通させる方向を下方、同ミシン針３１を縫製対象物から引き抜く方向を上方と規定する。また、縫製対象物を搬送する方向を後方、その反対の方向を前方と規定する。更に、上下方向及び前後方向に直交する方向を左右方向（又は幅方向）と規定する。
【００９４】
本実施形態において使用されるミシン３０は、上下方向及び前後方向に移動可能に装着されたミシン針３１と、ミシン針３１の動きに連動して移動する押え棒３２と、押え棒３２の下端に配され、縫製対象物を上方から押さえるミシンフット（中押さえ部）３３と、ミシンフット３３が上昇しているときに縫製対象物をミシンフット３３の代わりに上方から押さえることが可能な外押さえ部３４と、縫製対象物を載置する針板３５と、針板３５に形成された図示しない開口部内に配された図示しない下送り部とを有している。
【００９５】
このミシン３０は、ミシン針３１を縫製対象物に刺通した状態のまま、ミシンフット３３及び図示しない下送り部で縫製対象物を押さえて、同縫製対象物をミシン針３１と一緒に後方に送ることが可能で、更に、ミシンフット３３及び図示しない下送り部が前方に移動する際には外押さえ部３４が縫製対象物を押さえることが可能な、所謂総合送りミシンとして構成されている。
【００９６】
また、同ミシン３０に装着されるミシンフット３３は、押え棒３２に固定された固定部３６と、固定部３６に上下方向へ揺動可能に軸着されたフット本体３７と、フット本体３７を先端に向けて下方へ傾斜させるように付勢する図示しない弾性部材とを有している。
【００９７】
ミシンフット３３におけるフット本体３７は、図６〜図８に示したように、略Ｌ字状に形成されており、固定部３６に軸着される基端部３７ａと、基端部３７ａの下端に配された押圧部３７ｂとを有している。また、フット本体３７の押圧部３７ｂには、上下方向（ミシン針３１の刺通方向）に貫通し、ミシン針３１の挿通を可能とする針孔３７ｃが形成されている。
【００９８】
更に、同押圧部３７ｂには、ファスナーストリンガー２１の連続エレメント２３とファスナーテープ２２の一部とを挿通可能なエレメント案内溝３７ｄが形成されている。この場合、エレメント案内溝３７ｄは、ミシン３０によって搬送されるファスナーストリンガー２１及び表皮材１０の搬送方向に沿って配されており、また、エレメント案内溝３７ｄの下端部には、面取り部３７ｅが形成されている。
【００９９】
更に、このエレメント案内溝３７ｄの内壁面には、連続エレメント２３とファスナーテープ２２の一部とを挿通したときに、連続エレメント２３を支持して、特に、連続エレメント２３の噛合頭部２３ａ及び上脚部２３ｂの少なくとも１つを支持して、連続エレメント２３が立ち上がって傾斜した状態を維持することが可能な支持面（支持部）が配されている。
【０１００】
ここで、エレメント案内溝３７ｄの内壁面は、底面３７ｆからエレメント案内溝３７ｄの深さ方向（左斜め上方向）に形成された第１及び第２側面部と、エレメント案内溝３７ｄの底部側に形成された上面部とを有している。この場合、第１側面部は、エレメント案内溝３７ｄの針孔３７ｃ側に配されている。第２側面部は、エレメント案内溝３７ｄの針孔３７ｃとは反対の側に配され、第１側面部に対向している。上面部は、第１側面部と第２側面部とを連結するように配されている。このため、エレメント案内溝３７ｄの第２側面部が、連続エレメント２３を支持する前記支持面（支持部）となる。
【０１０１】
また、本実施形態におけるエレメント案内溝３７ｄは、押圧部３７ｂの押え面となる底面３７ｆに対して、６５°以上８０°以下の角度で傾斜して形成されている。なお、ここで言うエレメント案内溝３７ｄの傾斜角度とは、押圧部３７ｂの底面３７ｆに対するエレメント案内溝３７ｄにおける針孔３７ｃ側の内壁面、又は外側（針孔３７ｃ側とは反対の側）の内壁面の角度を言い、少なくとも一方の内壁面の傾斜角度が上記範囲内に設定されていれば良い。
【０１０２】
エレメント案内溝３７ｄの傾斜角度を６５°以上に設定することにより、ファスナーストリンガー２１を表皮材１０に縫着する際に、連続エレメント２３を表皮材１０に干渉させることなく、ファスナーテープ２２と表皮材１０とを連続エレメント２３の連結部２３ｄの近傍位置にミシン針３１を刺通して容易に縫製することが可能となる。また、エレメント案内溝３７ｄの傾斜角度を８０°以下に設定することにより、エレメント案内溝３７ｄが針孔３７ｃと完全に一体化することを防いで、エレメント案内溝３７ｄ内に連続エレメント２３とファスナーテープ２２の一部とを円滑に挿通させることができる。
【０１０３】
更に、エレメント案内溝３７ｄにおける針孔３７ｃ側の内壁面（面取り部３７ｅは除く）とミシン針３１の中心軸との間の左右方向における距離（寸法）Ｄ３は、１．２ｍｍ以下、好ましくは０．２ｍｍ以上１．２ｍｍ以下、更に好ましくは０．５ｍｍ以上１．０ｍｍ以下に設定されている。
【０１０４】
このエレメント案内溝３７ｄの内壁面とミシン針３１の中心軸との間の距離Ｄ３を０．２ｍｍ以上に設定することにより、ミシン針３１がファスナーテープ２２及び表皮材１０を刺通するときに、ミシン針３１や縫製糸１５が連続エレメント２３に当たることを防止できる。このため、縫製時に、縫製糸１５が連続エレメント２３からダメージを受けることを防止でき、また、ファスナーストリンガー２１を表皮材１０に縫着したときに、縫製糸１５の糸締まりに支障が出ることも防止できる。
【０１０５】
一方、エレメント案内溝３７ｄの内壁面とミシン針３１の中心軸との間の距離Ｄ３を１．２ｍｍ以下に設定することにより、ファスナーストリンガー２１を表皮材１０に縫着したときに、縫製線と連続エレメント２３との間の距離Ｄ１を容易に１．６ｍｍ以下にすることができる。
【０１０６】
このため、上述のように、ファスナーストリンガー２１を縫着したときに、連続エレメント２３と表皮材１０のＵ字状折曲部１２との間の距離を小さくして（又はゼロにして）、ファスナーテープ２２を外面側から見え難くすることができる。それとともに、表皮材１０及びファスナーストリンガー２１にパッカリングを発生し難くすることができる。
【０１０７】
そして、上述のようなミシン３０を用いてファスナーストリンガー２１と表皮材１０とを縫製する場合、先ず、ファスナーテープ２２の連続エレメント２３が縫着されている側のテープ面と、表皮材１０の外部に露呈する外面となる側の面とを合わせてファスナーストリンガー２１を表皮材１０の上に重ねる。このとき、連続エレメント２３は、ファスナーテープ２２と表皮材１０の間に配された状態となる。
【０１０８】
更に、ファスナーストリンガー２１が表皮材１０上に重ねられた状態で、そのファスナーストリンガー２１及び表皮材１０を、ミシン３０の針板３５に載置してミシンフット３３に向けて搬送する。この場合、ミシン３０による縫製開始時に、ファスナーストリンガー２１のテープ長さ方向の一端部（後端部）において、ファスナーテープ２２のテープ主体部２２ａをミシンフット３３の底面３７ｆで押さえるとともに、ファスナーテープ２２を折り曲げながら連続エレメント２３とファスナーテープ２２のエレメント取付部２２ｂとを、ミシンフット３３のエレメント案内溝３７ｄ内に導入する。
【０１０９】
続いて、ファスナーストリンガー２１の後端部を上述のように保持した状態でファスナーストリンガー２１及び表皮材１０を、ミシンフット３３及び図示しない下送り部によって順次後方に送る。これにより、連続エレメント２３とエレメント取付部２２ｂとは、先行してエレメント案内溝３７ｄ内に導入された連続エレメント２３とエレメント取付部２２ｂにつられて、ファスナーテープ２２を表皮材１０側とは反対の側に折り曲げて連続エレメント２３の噛合頭部２３ａが起き上がる方向に順次傾斜しながら、エレメント案内溝３７ｄに案内される。
【０１１０】
このように連続エレメント２３とエレメント取付部２２ｂとがエレメント案内溝３７ｄに案内されることにより、図９に示したように、ミシン針３１の中心軸からファスナーテープ２２の折り曲げられている位置（折り曲げ基端位置）までの幅方向における距離を１．２ｍｍ以下、好ましくは０．２ｍｍ以上１．２ｍｍ以下とすることができ、また、ミシンフット３３の底面３７ｆに対するファスナーテープ２２の折り曲げ角度を、６５°以上８０°以下とすることができる。
【０１１１】
なお、連続エレメント２３とエレメント取付部２２ｂとがエレメント案内溝３７ｄに案内されて、同エレメント案内溝３７ｄ内を挿通するときには、ファスナーテープ２２のテープ主体部２２ａがミシンフット３３の底面３７ｆで押さえられているとともに、連続エレメント２３における噛合頭部２３ａ及び上脚部２３ｂの少なくとも１つがエレメント案内溝３７ｄの内壁面に支持されている。これにより、ファスナーテープ２２は所定の角度で折り曲げられた状態を維持したまま、後方に順次送られる。
【０１１２】
なお、この場合、ファスナーストリンガー２１をエレメント案内溝３７ｄ内に挿通した際にミシンフット３３とファスナーストリンガー２１との間の摩擦力を小さくするため、エレメント案内溝３７ｄは、ファスナーテープ２２のエレメント取付部２２ｂとエレメント案内溝３７ｄの針孔３７ｃ側の内壁面との間に隙間が設けられるように形成されていることが好ましい（図９を参照）。
【０１１３】
そして、エレメント案内溝３７ｄ内に連続エレメント２３及びエレメント取付部２２ｂを挿通させながらファスナーストリンガー２１と表皮材１０を後方へ送るとともに、ミシン針３１をファスナーストリンガー２１及び表皮材１０の送り動作に合わせながら上下方向に往復運動させる。これにより、ファスナーテープ２２を連続エレメント２３の連結部２３ｄの近傍位置で表皮材１０に縫い付けることができる。
【０１１４】
なお、ファスナーテープ２２が表皮材１０に縫い付けられた後に、ファスナーストリンガー２１と表皮材１０が針板３５上を搬送される場合、連続エレメント２３は、ファスナーテープ２２のエレメント取付部２２ｂに保持されると同時に表皮材１０と干渉するため、噛合頭部２３ａは所定の角度で起き上がる方向に傾斜した状態が維持される。
【０１１５】
上述のようにしてファスナーストリンガー２１をその長さ方向の全体に亘って表皮材１０に縫い付けた後、縫製糸１５によって形成された縫製線に沿って、表皮材１０をファスナーストリンガー２１が縫着されている側とは反対の側に向けてＵ字状に折り曲げる。更にその後、必要に応じて、表皮材１０の折り曲げ状態を維持するために、表皮材１０に熱セットを施す。
【０１１６】
これにより、ファスナーテープ２２の折り曲げ状態が解除されて、ファスナーテープ２２がまっすぐな状態に保持されるとともに、連続エレメント２３の連結部２３ｄと表皮材１０のＵ字状に折り曲げられた折曲部１２とが互いに接触又は接近した状態となる。
【０１１７】
その後、上述のようにファスナーストリンガー２１が縫着され、Ｕ字状に折り曲げられた表皮材１０を左右１組で組み合わせ、その組み合わせたファスナーストリンガー２１の連続エレメント２３に沿ってスライダー２６を摺動可能に取り付ける。これにより、図１〜図４に示した本実施形態に係る上述のシートカバー１が得られる。
【０１１８】
このようにして得られた本実施形態のシートカバー１は、スライダー２６を摺動させて左右の連続エレメント２３を噛合したときに、左右の表皮材１０間に噛合状態にある連続エレメント２３を外面（露出面）側にくっきりと表出させることができる。
【０１１９】
また、ファスナーテープ２２と表皮材１０を縫着している縫製線と、連続エレメント２３の連結部２３ｄとの間の距離Ｄ１が０．２ｍｍ以上１．６ｍｍ以下、好ましくは０．２ｍｍ以上１．２ｍｍ以下、更に好ましくは０．５ｍｍ以上１．０ｍｍ以下に設定されていることにより、左右の表皮材１０におけるＵ字状折曲部１２と、スライダー２６における左右フランジ２６ｄの外面とを接触させ、更には、左右の表皮材１０におけるＵ字状折曲部１２と、連続エレメント２３の連結部２３ｄとを接触させることができる（図４を参照）。
【０１２０】
これにより、左右の表皮材１０間に連続エレメント２３を表出させる一方で、左右の表皮材１０間において、外面側から左右のファスナーテープ２２を見え難く、又は見えなくすることができる。更に、本実施形態のシートカバー１は、ファスナーテープ２２と表皮材１０を縫着している縫製線も表皮材１０によって外部から隠すことができる。
【０１２１】
従って、本実施形態のシートカバー１は、連続エレメント２３を外面に表出させることによって新たな意匠性を有するとともに、ファスナーテープ２２の露出や縫製線の露出に起因する見栄えの低下やデザイン性の低下を防ぐことができるため、例えば、従来にはなかった商品価値を自動車用シート２に与えることが可能となる。
【０１２２】
なお、本実施形態では、ファスナーストリンガー２１を表皮材１０に縫着する場合、上述のように総合送りミシン３０に本発明のミシンフット３３を装着して、ファスナーストリンガー２１と表皮材１０の縫製を行っている。しかし、本発明はこれに限定されるものではなく、例えば所謂上下送りミシンと呼ばれているミシンに、本発明のミシンフット３３を装着して、ファスナーストリンガー２１と表皮材１０の縫製を行うことも可能である。
【符号の説明】
【０１２３】
１                シートカバー
２                自動車用シート
２ａ              稜線部
３                クッション体
１０                表皮材
１１                ファスナー取付部
１２                折曲部
１３                本体部
１５                縫製糸
２０                スライドファスナー
２１                ファスナーストリンガー
２２                ファスナーテープ
２２ａ              テープ主体部
２２ｂ              エレメント取付部（テープ側縁部）
２３                連続エレメント（エレメント列）
２３ａ              噛合頭部
２３ｂ              上脚部
２３ｃ              下脚部
２３ｄ              連結部
２４                芯紐
２５                エレメント縫製糸
２６                スライダー
２６ａ              スライダー胴体
２６ｂ              上翼板
２６ｃ              下翼板
２６ｄ              フランジ
２６ｅ              引手取付柱
３０                ミシン
３１                ミシン針
３２                押え棒
３３                ミシンフット
３４                外押さえ部
３５                針板
３６                固定部
３７                フット本体
３７ａ              基端部
３７ｂ              押圧部
３７ｃ              針孔
３７ｄ              エレメント案内溝
３７ｅ              面取り部
３７ｆ              底面
Ｄ１                縫製線と連続エレメントとの間の距離
Ｄ２                縫製線とスライダーのフランジとの間の距離
Ｄ３                エレメント案内溝とミシン針の中心軸との間の距離
【図１】
2011077534.tif 000003
【図２】
2011077534.tif 000004
【図３】
2011077534.tif 000005
【図４】
2011077534.tif 000006
【図５】
2011077534.tif 000007
【図６】
2011077534.tif 000008
【図７】
2011077534.tif 000009
【図８】
2011077534.tif 000010
【図９】
2011077534.tif 000011
【図１０】
2011077534.tif 000012
【国際調査報告】
2011077534.tif 000013
2011077534.tif 000014